(57)【特許請求の範囲】
【請求項１】
散布用作業機に装着された車幅方向に長い横長の取出口を有するホッパと、
前記ホッパの取出口に沿って配置され回転により散布を行なう散布状態と回転停止により散布を停止する散布停止状態とする車幅方向に長い複数に分割された分割散布ローラと、前記各分割散布ローラの内、回転しているローラと停止しているローラの組合せ混合回転及び各分割散布ローラが一緒に回転する一体回転とに回転制御するローラ回転制御手段とを備えていることを特徴とする粒系又は粉系材料の散布装置。
【請求項２】
前記ローラ回転制御手段は、各分割散布ローラにそれぞれ設けられ常に回転しているローラ軸に対してそのローラ軸と分割散布ローラが接となる動力伝達状態と断となる動力遮断状態になると共に動力遮断状態の時、分割散布ローラを拘束状態とすることを特徴とする請求項１記載の粒系又は粉系材料の散布装置。
【請求項３】
前記ローラ回転制御手段は、各分割散布ローラの一番端から中心へ向かう挿入時に端から順々に分割散布ローラを拘束していく長さの異なる挿入ピンによって構成されていることを特徴とする請求項１記載の粒系又は粉系材料の散布装置。
【発明の詳細な説明】
【技術分野】
【０００１】
本発明は、路面舗装時の骨材の散布に適する粒系又は粉系材料の散布装置に関する。
【背景技術】
【０００２】
従来、路面舗装時に、例えば砕石等の粒系材料、あるいは、セメント等の粉系材料等の骨材を散布する際に散布装置が用いられる。
【０００３】
散布装置の概要は、図１０，図１１に示す如く散布用作業機１０１に装着されたホッパ１０３とホッパ１０３の取出口１０５の下位に配置された散布ローラ１０７とで構成されている。
【０００４】
ホッパ１０３の取出口１０５及び散布ローラ１０７は、散布する路面の幅ａと対応する長さとなっていて、散布ローラ１０７の回転時に、そのローラの周面に乗った骨材が落下することで路面ａに対して散布が行なわれるようになっている。
【発明の開示】
【発明が解決しようとする課題】
【０００５】
ホッパ１０３の取出口１０５及び散布ローラ１０７は路面の幅ａと対応する長さとなっているために、例えば、幅員ａからｂに狭くなった場所では散布が行なえなくなる。
【０００６】
このような狭くなった場所では、例えば、幅員ｂ以外の骨材が落下することがないように取出口１０５にカバーを取付けて散布領域の一部分を塞ぐようにしているが、カバーの取付けにあたってホッパ内の骨材を一たん全部外へ取出す必要があることと、取出口１０５の一部分にのみカバーを確実に取付ける取付け作業が大変面倒であることがネックとなっているのが現状である。
【０００７】
このために、ホッパ１０３の取出口１０５に引き出し式のシャッタを設ける手段を考えたが、シャッタを閉める時に骨材が特に砕石等の場合にはシャッタの先端は、上方からの重量で上から強く押え付けられた状態にある砕石の間を進むようになるため、砕石と当って途中で動かなくなったり、または、完全に閉めることができない等の不具合いを起こす問題があったものである。
【０００８】
そこで、本発明にあっては簡単な操作で散布路面に対応した骨材の散布が的確に行なえるようにした散布装置を提供することを目的としている。
【課題を解決するための手段】
【０００９】
前記問題を達成するために、本発明にあっては、散布用作業機に装着された車幅方向に長い横長の取出口を有するホッパと、
前記ホッパの取出口に沿って配置され回転により散布を行なう散布状態と回転停止により散布を停止する散布停止状態とする車幅方向に長い複数に分割された分割散布ローラと、前記各分割散布ローラの内、回転しているローラと停止しているローラの組合せ混合回転及び各分割散布ローラが一緒に回転する一体回転とに回転制御するローラ回転制御手段とを備えていることを特徴とする。
【発明の効果】
【００１０】
本発明によれば、ローラ回転制御手段によって各分割散布ローラを一緒に一体回転させることで散布する路面の全幅に対応した粒系又は粉系の骨材散布を確実に行なうことができる。
【００１１】
一方、各分割散布ローラの内、例えば、一方の端側の分割散布ローラの回転を停止し、残りの領域の分割散布ローラを回転させる組合せ混合回転とすることで、例えば、狭くなった幅員に対応した骨材散布を的確に行なうことができる。
【発明を実施するための最良の形態】
【００１２】
本発明を実施するにあたって、前記ローラ回転制御手段を、各分割散布ローラにそれぞれ設け常に回転しているローラ軸に対してそのローラ軸と分割散布ローラが接となる動力伝達状態と断となる動力遮断状態にすると共に動力遮断状態の時、分割散布ローラを拘束状態とすることで、動力遮断状態にある分割散布ローラが付き回り等によって一緒回転するのを阻止できるようにすることが望ましい。
【００１３】
あるいは、前記ローラ回転制御手段を、各分割散布ローラの一番端から中心へ向かう挿入時に端から順々に分割散布ローラを拘束していく長さの異なる挿入ピンによって構成することで、例えば、狭くなった幅員に対応する長さの挿入ピンを選択し挿入することで的確な骨材散布幅が確保できるようにすることが望ましい。
【実施例】
【００１４】
以下、図１乃至図９の図面を参照しながら本発明の一実施形態について具体的に説明する。
【００１５】
図１は本発明にかかる散布装置全体の概要平面図、図２は散布装置全体の概要側面図をそれぞれ示している。
【００１６】
散布装置１はローラタイプの散布用作業機３の前方に取付けアーム５を介して一体に装着セットされている。
【００１７】
散布装置１は、ホッパ７と散布ローラ９とで構成され、ホッパ７は上方が大きく開口した投入口１１となっている。
【００１８】
ホッパ７の下方は取出口１３となっていて、上方の投入口１１に対して開口面積が小さい車幅方向に長い横長の形状となっている。
【００１９】
散布ローラ９は、前記横長に形成された取出口１３の下位に配置され、取出口１３と同一幅の横に長い形状に作られ、散布する路面の散布幅ａと同一となっている。
【００２０】
散布ローラ９は、ローラ軸１５に対して円筒状に形成された複数の分割散布ローラ９ａによって構成されている。
【００２１】
ローラ軸１５は前記ホッパ７のホッパ本体に固着されたサイド支持フレーム１６によって回転自在に両端支持されている。ローラ軸１５の一端には伝導スプロケット１７が設けられ、伝導スプロケット１７は減速機構を備えた駆動モータ１９の駆動スプロケット２１と伝導チェーン２３を介して伝導連結している。駆動モータ１９はホッパ本体に取付けられた支持台２５に搭載セットされ、駆動モータ１９からの減速された回転動力は駆動スプロケット２１→伝導チェーン２３→伝導スプロケット１７を介してローラ軸１５に伝達される。
【００２２】
散布ローラ９は、各分割散布ローラ９ａを前記駆動モータ１９によって回転動力が与えられる前記ローラ軸１５に対して、端から順々に挿入していくことで構成される。
【００２３】
各分割散布ローラ９ａは、図３に示す如く両端はシール材２７ａによってシールされたベアリング等の軸受２７によって回転自在に支持されている。
【００２４】
軸受２７と軸受２７の間には後述するローラ回転制御手段２９を有すると共に外周面には図６に示す如く所定の間隔で骨材受け部３１が設けられている。骨材受け部３１は、分割散布ローラ９ａの外周面に長手方向に連続する突起体３３を所定の間隔で設けることで突起体３３と突起体３３の間が骨材受け部３１となる手段を採用している。
【００２５】
骨材受け部３３は取出口１３の真下で、最上位に回動して来た時に取出口１３から粒系又は粉系等の骨材を受けとり、所定角度回動することで骨材を落下させ散布するようになっている。
【００２６】
この場合、骨材受け部３１は突起体３３によって形成するのではなく、外周面に所定の幅と深さを備えた溝タイプの形状であってもよい。
【００２７】
一方、ローラ回転制御手段２９は、各分割散布ローラ９ａの内、回転しているローラと停止しているローラの組合せ混合回転及び各分割散布ローラ９ａが一緒に回転する一体回転とに回転制御するもので、ピンタイプとクラッチタイプがある。
【００２８】
図３，図４，図５はピンタイプのローラ回転制御手段２９を示したものである。
【００２９】
ローラ回転制御手段２９は、図７に示す如くローラ軸１５と分割散布ローラ９ａとを一体の接として動力伝達状態とする第１ピン３５と、図６に示す如くローラ軸１５と分割散布ローラ９ａが断の動力遮断状態にある時、前記分割散布ローラ９ａを拘束する長さの異なる第２ピン３７とで構成されている。
【００３０】
第１ピン３５は分割散布ローラ９ａの挿入ねじ孔３９から挿入され前記ローラ軸１５を貫通した接の状態で前記分割散布ローラ９ａ内壁面に設けられた係合孔４１に一端が係合している。他端は、分割散布ローラ９ａの挿入ねじ孔３９内に臨み挿入ねじ孔３９内の第１ピン３５の端部は挿入ねじ孔３９内に螺合されためくらねじ６角穴４１ａ付き固定ねじ４１によって固定支持されている。
【００３１】
したがって、固定ねじ４１を取外すことで第１ピン３５を挿入ねじ孔３９から外へ引き出すことが可能となる。
【００３２】
第２ピン３７は、分割散布ローラ拘束用となっていて先端には前記第１ピン３５の端部に設けられたねじ穴４３と螺合し合うねじ部４５を有している。ねじ部４５は図５に示す如くねじ穴４３に螺合させて引き出せば、第１ピン３５を外へ引き出すことが可能となり、引き抜き手段を兼ねる構造となっている。
【００３３】
したがって、第１ピン３５を取外した後に、図６に示す如くホッパ本体に固着されたローラ拘束プレート４７の取付け部４９から第２ピン３７を挿入することで、先端は分割散布ローラ９ａの挿入ねじ孔３９内に臨むようになるから、取付け部４９側から第２ピン３７に抜け止めピン５１を挿入すれば、隣のローラが回転していても付き回りすることなく分割散布ローラ９ａの拘束状態の確保が可能となる。
【００３４】
この第１，第２ピン３５，３７は、散布装置１の前方からの操作で、いずれの位置にある分割散布ローラ９ａの回転、回転停止の操作が可能となる実施形態となっているが、図８に示す如く端から順々に分割散布ローラ９ａを回転停止させる手段とすることも可能である。
【００３５】
具体的には、長さの異なる挿入ピン５３，５３−１，５３−２（実線、一点鎖線、点線で示す）を選択して、ローラ軸１５との動力が断の状態にある分割散布ローラ９ａに対して、サイド支持フレーム１６側から中心へ向けて挿入する手段とするものである。
【００３６】
これにより、挿入ピン５３は固定されたサイド支持フレーム１６と分割散布ローラ９ａのローラサイドフレーム５５とを貫通し合うことで、一番端の分割散布ローラ９ａ、二番目の分割散布ローラ９ａ、三番目の分割ローラ９ａというように端から順々に回転を停止させることが可能となる。
【００３７】
なお、この実施形態の場合には端から順々に回転停止していくという制約があるがローラ拘束プレート４７の省略が可能となる。
【００３８】
図９はクラッチタイプのローラ回転制御手段５７を示したもので、分割散布ローラ９ａ側に一体に設けられた固定電磁クラッチ板５９とローラ軸１５とスプライン嵌合して軸方向に移動可能な可動電磁クラッチ板６１とからなる構造となっている。固定電磁クラッチ板５９は、前記ローラ軸１５の中心軸心孔６３を通る配線（図示していない）によって電流が流れることでオンとなり、可動電磁クラッチ６１を吸引して接とする。オフで可動電磁クラッチ６１を切り離して断とすることで各分割散布ローラ９ａの回転、回転停止制御が可能となっている。
【００３９】
このように構成された散布装置１によれば、各分割散布ローラ９ａを一緒に回転させることで、広い幅の路面の散布幅ａに対して粒系又は粉系の骨材の散布を確実に行なえるようになる。
【００４０】
次に、幅員ｂが狭くなった時には、ローラ回転制御手段２７によって幅員ｂの幅から外れた分割散布ローラ９ａの回転を図３に示す如く停止させれば、付き回りがなくなると共に幅員ｂに対応した骨材の散布を的確に行なえるようになる。
【図面の簡単な説明】
【００４１】
【図１】本発明にかかる散布装置全体の概要平面図。
【図２】本発明にかかる散布装置全体の概要側面図。
【図３】ローラ軸に対する各分割散布ローラの装着状態を示した一部分の拡大説明図。
【図４】図３、Ａ部の拡大分解説明図。
【図５】第１ピンを第２ピンによって分割散布ローラから抜き取る動作説明図。
【図６】分割散布ローラが第２ピンによって拘束された状態を示す概要説明図。
【図７】分割散布ローラが第１ピンによってローラ軸と一体の接の状態を示す概要説明図。
【図８】長さの異なる挿入ピンによって分割散布ローラを端から順々に回転停止していく概要説明図。
【図９】ローラ回転制御手段のクラッチタイプを示した概要説明図。
【図１０】従来例を示した散布装置の概要平面図。
【図１１】ホッパと散布ローラの従来例を示した概要説明図。
【符号の説明】
【００４２】
１…散布装置
３…散布用作業機
７…ホッパ
９…散布ローラ
９ａ…分割散布ローラ
１１…投入口
１３…取出口
１５…ローラ軸
２７…ローラ回転制御手段
５３，５３−１，５３−２…挿入ピン
【図１】
0005007251.tif 000002
【図２】
0005007251.tif 000003
【図３】
0005007251.tif 000004
【図４】
0005007251.tif 000005
【図５】
0005007251.tif 000006
【図６】
0005007251.tif 000007
【図７】
0005007251.tif 000008
【図８】
0005007251.tif 000009
【図９】
0005007251.tif 000010
【図１０】
0005007251.tif 000011
【図１１】
0005007251.tif 000012